(57)【特許請求の範囲】
【請求項１】
熱交換器用バーナにて加熱される給湯用熱交換器が設けられる燃焼室の周囲温度が高いほど大きな起電力を出力する燃焼室用熱電対、及び、この燃焼室用熱電対の起電力が異常であると前記熱交換器用バーナの燃焼を停止させる制御手段を備えて構成されている給湯装置と、
この給湯装置の下方に配設されたコンロとが設けられている燃焼設備であって、
前記コンロにおけるコンロ用バーナの燃焼炎の温度が高いほど大きい起電力を出力するコンロ用熱電対が、前記制御手段に電気的に接続されている前記燃焼室用熱電対に対して同極性となる状態で直列接続され、
前記制御手段が、前記燃焼室用熱電対と前記コンロ用熱電対とを備えた熱電対群の出力値が熱電対群用設定値以上になると、前記熱交換器用バーナの燃焼を停止させるように構成されている燃焼設備。
【請求項２】
前記熱交換器用バーナの燃焼炎の温度が高いほど大きい起電力を出力するバーナ用熱電対が、前記制御手段に電気的に接続され、
前記制御手段が、前記バーナ用熱電対の出力値がバーナ用設定値以下になると、前記熱交換器用バーナの燃焼を停止させるように構成されている請求項１記載の燃焼設備。
【請求項３】
前記コンロにおける前記コンロ用バーナに対して燃料を供給する燃料供給路に備えられた閉弁付勢型の開閉弁が、開弁状態を保持するための作動用コイルに前記コンロ用熱電対により発生する起電力が通電されることにより閉弁付勢力に抗して開弁状態に維持されるように構成されている請求項１又は２記載の燃焼設備。
【請求項４】
前記コンロに設けられた複数のコンロ用バーナの夫々に対して設けられた複数の前記コンロ用熱電対の夫々が、前記燃焼室用熱電対に対して同極性となる状態で直列接続されている請求項１〜３のいずれか１項に記載の燃焼設備。
【発明の詳細な説明】
【技術分野】
【０００１】
本発明は、熱交換器用バーナにて加熱される給湯用熱交換器が設けられる燃焼室の周囲温度が高いほど大きな起電力を出力する燃焼室用熱電対、及び、この燃焼室用熱電対の起電力が異常であると前記熱交換器用バーナの燃焼を停止させる制御手段を備えて構成されている給湯装置と、この給湯装置の下方に配設されたコンロとが設けられている燃焼設備に関する。
【背景技術】
【０００２】
かかる燃焼設備は、一般家庭の台所等に装備されるものであり、洗浄等に使用する湯水を出湯する給湯装置（例えば、特許文献１参照。）と被加熱物を加熱して調理するコンロ（例えば、特許文献１参照。）とが、給湯装置の下方にコンロを位置させる状態で設けられることになる。
そして、給湯装置の制御手段が、燃焼室用熱電対の出力値が設定値以上になると、異常であるとして、熱交換器用バーナの燃焼を停止させることになる。
つまり、長年の使用により、燃焼ガス中の燃焼生成物や塵埃が熱交換器に付着して熱交換器の燃焼ガス通路が詰まると、燃焼ガスが熱交換器内に滞留して燃焼室の周囲温度が上昇して、燃焼室用熱電対の起電力の出力値が大きくなるため、この燃焼室用熱電対の出力値が大きくなり設定値以上になると、異常であるとして、熱交換器用バーナの燃焼を停止させることとなる。
【０００３】
【特許文献１】特開２０００−１８５８１号公報
【特許文献２】特開平９−１５９１５５号公報
【発明の開示】
【発明が解決しようとする課題】
【０００４】
コンロ用バーナを燃焼させてコンロを使用した状態で給湯装置を使用すると、コンロの燃焼排ガスが、コンロの上方側に位置することになる給湯装置に向けて流動する虞があるが、このようにコンロの燃焼排ガスが給湯装置に向けて流動すると、その給湯装置における熱交換器用バーナに対する燃焼用空気として、コンロの燃焼排ガスが熱交換器用バーナに流動して、熱交換器用バーナの燃焼炎のリフトや燃焼炎の立ち消え等の燃焼異常を起こす虞があるため、コンロを使用した状態での熱交換器用バーナの燃焼異常を未然に防止するための対策が望まれていた。
【０００５】
本発明は、上記実状に鑑みて為されたものであって、その目的は、本来構成を利用した簡素な構成にて、コンロを使用した状態での熱交換器用バーナの燃焼異常を未然に防止することができる燃焼設備を提供する点にある。
【課題を解決するための手段】
【０００６】
本発明にかかる燃焼設備は、熱交換器用バーナにて加熱される給湯用熱交換器が設けられる燃焼室の周囲温度が高いほど大きな起電力を出力する燃焼室用熱電対、及び、この燃焼室用熱電対の起電力が異常であると前記熱交換器用バーナの燃焼を停止させる制御手段を備えて構成されている給湯装置と、この給湯装置の下方に配設されたコンロとが設けられているものであって、その第１特徴構成は、
前記コンロにおけるコンロ用バーナの燃焼炎の温度が高いほど大きい起電力を出力するコンロ用熱電対が、前記制御手段に電気的に接続されている前記燃焼室用熱電対に対して同極性となる状態で直列接続され、
前記制御手段が、前記燃焼室用熱電対と前記コンロ用熱電対とを備えた熱電対群の出力値が熱電対群用設定値以上になると、前記熱交換器用バーナの燃焼を停止させるように構成されている点にある。
【０００７】
すなわち、コンロ用バーナの燃焼炎の温度が高いほど大きい起電力を出力するコンロ用熱電対が、制御手段に電気的に接続されている燃焼室用熱電対に対して同極性となる状態で直列接続されており、給湯装置の制御手段が、燃焼室用熱電対とコンロ用熱電対とを備えた熱電対群の出力値、つまり、燃焼室用熱電対の出力値とコンロ用熱電対の出力値との合計値が熱電対群用設定値以上になると、給湯装置における燃焼室の異常である又はコンロ用バーナが燃焼状態であるとして、熱交換器用バーナの燃焼を停止させるものであるから、コンロ用バーナを燃焼させてコンロを使用した状態で給湯装置を使用することによる熱交換器用バーナの燃焼異常を未然に防止することができるものとなる。
そして、コンロ用熱電対を制御手段に電気的に接続されている燃焼用熱電対に対して同極性となる状態で直列接続することにより、給湯装置における燃焼室の異常の場合に加えて、コンロ用バーナが燃焼状態である場合にも、熱交換器用バーナの燃焼を停止させるものであるから、燃焼用熱電対が制御手段に電気的に接続されているという本来構成を利用して、コンロ用熱電対を燃焼用熱電対に対して同極性となる状態で直列接続するという簡素な構成にて、コンロ用バーナが燃焼状態である場合に熱交換器用バーナの燃焼を停止させることができるのである。
したがって、本来構成を利用した簡素な構成にて、コンロを使用した状態での熱交換器用バーナの燃焼異常を未然に防止することができる燃焼設備を提供することができるに至った。
【０００８】
本発明にかかる燃焼設備の第２特徴構成は、第１特徴構成において、前記熱交換器用バーナの燃焼炎の温度が高いほど大きい起電力を出力するバーナ用熱電対が、前記制御手段に電気的に接続され、
前記制御手段が、前記バーナ用熱電対の出力値がバーナ用設定値以下になると、前記熱交換器用バーナの燃焼を停止させるように構成されている点にある。
【０００９】
すなわち、熱交換器用バーナの燃焼炎の温度が高いほど大きい起電力を出力するバーナ用熱電対が、制御手段に電気的に接続されて、制御手段が、バーナ用熱電対の出力値がとバーナ用設定値以下になると、前記熱交換器用バーナの燃焼を停止させることになる。
つまり、熱交換器用バーナの燃焼炎がリフトした場合や立ち消えした場合に、その異常をバーナ用熱電対にて検出して、熱交換器用バーナの燃焼を停止させることにより、熱交換器用バーナが異常燃焼することを回避できる。
従って、上記特徴構成１による作用効果に加えて、熱交換器用バーナが異常燃焼することを回避できる燃焼設備を提供することができるに至った。
【００１０】
本発明にかかる燃焼設備の第３特徴構成は、第１又は第２特徴構成において、前記コンロにおける前記コンロ用バーナに対して燃料を供給する燃料供給路に備えられた閉弁付勢型の開閉弁が、開弁状態を保持するための作動用コイルに前記コンロ用熱電対により発生する起電力が通電されることにより閉弁付勢力に抗して開弁状態に維持されるように構成されている点にある。
【００１１】
すなわち、コンロ用バーナに対して燃料を供給する燃料供給路に備えられた閉弁付勢型の開閉弁が、開弁状態を保持するための作動用コイルに前記コンロ用熱電対により発生する起電力が通電されることにより閉弁付勢力に抗して開弁状態に維持されるように構成されているから、コンロ用バーナが燃焼異常となった場合に、開閉弁を閉弁状態として、コンロ用バーナへの燃料の供給を適確に停止することができる。
そして、この開閉弁を開弁状態で維持させるために用いられるコンロ用熱電対を、燃焼室用熱電対に対して同極性となる状態で直列接続して、熱交換器用バーナの燃焼異常を未然に防止する構成に利用するものであるから、熱交換器用バーナの燃焼異常を未然に防止するための熱電対と、コンロ用バーナの燃焼異常状態を回避するための熱電対とを兼用させることにより、全体構成の簡素化を図ることができる。
従って、上記第１特徴構成又は第２特徴構成による作用効果に加えて、全体構成の簡素化を図りながら、熱交換器用バーナの燃焼異常を未然に防止し且つコンロ用バーナの燃焼異常状態を回避できる燃焼設備を提供することができるに至った。
【００１２】
本発明にかかる燃焼設備の第４特徴構成は、第１〜第３特徴構成のいずれか１つにおいて、前記コンロに設けられた複数のコンロ用バーナの夫々に対して設けられた複数の前記コンロ用熱電対の夫々が、前記燃焼室用熱電対に対して同極性となる状態で直列接続されている点にある。
【００１３】
すなわち、コンロに設けられた複数のコンロ用バーナの夫々に対して設けられた複数のコンロ用熱電対の夫々が、燃焼室用熱電対に対して同極性となる状態で直列接続されているから、例えば、コンロ用バーナとして、コンロ部の２つのコンロバーナとグリルのグリルバーナとを設けた場合では、コンロにおいて２つのコンロ用バーナ、グリル用バーナのいずれが燃焼状態になったとしても、熱交換器用バーナの燃焼を停止させることができるため、コンロを使用した状態での熱交換器用バーナの燃焼異常をより適確に未然に防止することができる。
従って、上記第１〜第３特徴構成のいずれかによる作用効果に加えて、コンロを使用した状態での熱交換器用バーナの燃焼異常をより適確に未然に防止することができる燃焼設備を提供することができるに至った。
【発明を実施するための最良の形態】
【００１４】
以下、本発明にかかる燃焼設備の実施の形態を図面に基づいて説明する。
図１に示すように、燃焼設備は、押しボタン式の出湯操作具１３の押し操作により出湯具８から出湯する給湯装置Ａと、この給湯装置Ａの下方に配設されてコンロ部３２及びグリル部３３を備えたコンロＢとを設けて構成されており、給湯装置ＡとコンロＢとは接続ケーブルＬにて接続されている。
ちなみに、図１においては、給湯装置ＡとコンロＢとが平面視において重ねる状態で設けられているが、重ならない状態で設けられる場合においても本願発明は適用できることは勿論である。
【００１５】
先ず、給湯装置Ａについて説明する。
図２に示すように、給湯装置Ａは、筒胴１の下方に熱交換器用バーナ３を設け、筒胴１の内部の上端部にフィンチューブ型の給湯用熱交換器２を設け、筒胴１の内部に熱交換器用バーナ３の燃焼室Ｒが形成されており、熱交換器用バーナ３にて燃焼室Ｒに設けられる給湯用熱交換器２を加熱するように構成されている。熱交換器２への給水路Ｗｉには、止水弁４、水圧変化に応動して給水量を調整する水ガバナ５、及び、分流弁６が介装されており、熱交換器２からの出湯路Ｗｏは、フレキシブル管７を介して出湯具８に接続されている。
分流弁６は、熱交換器２への給水量とバイパス路Ｗｂを介して給水路Ｗｉから出湯路Ｗｏへ分流供給するバイパス水量とを調整するように構成されている。
また、熱交換器用バーナ３へのガス供給路Ｇには、遮断弁９、連動杆１０ａを介しての水ガバナ５との連動により給水状態でのみ開く水圧応動弁１０、燃料ガス供給の元圧変化に応動してバーナ３への燃料ガス供給圧を適正圧に保つガスガバナ１１、及び、燃料ガス供給量を調整する調整弁１２が介装されている。
又、給湯装置Ａには、各種制御を司るマイクロコンピュータを備えて構成される制御手段としてのコントローラＣが設けられている。
【００１６】
そして、出湯すべく、止水状態において押しボタン式の出湯操作具１３を押し操作されると、その出湯操作具１３の押し操作にて、止水弁４が開弁されるとともに操作マイクロスイッチ１４がオン操作される。止水弁４が開弁すると、水が水ガバナ５に入り、その水圧により連動杆１０ａが水圧応動弁１０を開弁する方向に応動して、水圧マイクロスイッチ１５がオン操作される。コントローラＣは、操作マイクロスイッチ１４及び水圧マイクロスイッチ１５がオン操作されると、遮断弁９のコイル９ａに吸着電流を流して遮断弁９を開弁させるとともに、熱交換器用バーナ３の近くに備えられた熱交換器用点火プラグ１６をスパークさせる。
【００１７】
つまり、止水状態において押しボタン式の出湯操作具１３を押し操作するに伴って、燃料ガスを、遮断弁９、水圧により応動した連動杆１０ａにより開弁された水圧応動弁１０、ガスガバナ１１及び調整弁１２を通過して熱交換器用バーナ３に供給し、熱交換器用点火プラグ１６のスパークにより点火させて、熱交換器用バーナ３を燃焼させる。また、熱交換器用バーナ３の燃焼炎に接触させる状態でバーナ用熱電対１７を設けてあり、熱交換器用バーナ３の燃焼炎により加熱されたバーナ用熱電対１７の起電力が設定値以上であれば、遮断弁９のコイル９ａに通電し続けて、遮断弁９の開弁が継続し、熱交換器用バーナ３の燃焼を維持させる。
一方、止水状態において押しボタン式の出湯操作具１３を押し操作するに伴って、水を、止水弁４、水ガバナ５及び分流弁６を通過して熱交換器２に流すと同時に、バイパス路Ｗｂを通じて出湯路Ｗｏへ流し、熱交換器２からの湯とバイパス路Ｗｂからの水とを混合させて適温となった湯を、出湯具８から出湯させるように構成されている。
【００１８】
そして、止水すべく、出湯状態において出湯操作具１３を押し操作すると、止水弁４が閉弁されるとともに操作マイクロスイッチ１４がオフ操作される。止水弁４が閉弁されると、連動杆１０ａが水圧応動弁１０を閉弁する方向に応動して、水圧マイクロスイッチ１５がオフ操作される。操作マイクロスイッチ１４及び水圧マイクロスイッチ１５がオフ操作されると、コントローラＣは、遮断弁９のコイル９ａへの通電を停止し、遮断弁９を開弁させる。
つまり、出湯状態において押しボタン式の出湯操作具１３を押し操作するに伴って、遮断弁９及び水圧応動弁１０を閉弁させて燃焼ガスの供給を断つことにより、バーナ３の燃焼を停止させ、止水弁４が閉弁させて給水を断つことにより、出湯具８からの出湯を停止させるように構成されている。
【００１９】
図４に示すように、給湯装置Ａには、熱交換器用バーナ３の燃焼炎の温度が高いほど大きな起電力を出力する上述のバーナ用熱電対１７、燃焼室Ｒの周囲温度が高いほど大きな起電力を出力する燃焼室用熱電対２１、ガスノズル１８の近傍の温度が異常高温になることに基づいて溶断するノズル近傍用温度ヒューズ１９、及び、筒胴１の外周近傍の温度が異常高温になることに基づいて溶断する筒胴用温度ヒューズ２０が設けられている。
【００２０】
バーナ用熱電対１７は、金属性の熱電対取付板を用いて感熱部が熱交換器用バーナの正常燃焼状態の燃焼炎の内部に位置するように、且つ、そのプラス側が熱電対取付板と電気的に接続するように設けられている。又、燃焼室用熱電対２１は、その感熱部が筒胴１に形成した測温用開口１ａに臨む状態で設けられている。
ノズル近傍用温度ヒューズ１９は、熱交換器用バーナ３に対応するガスノズル１８の下方近傍に位置するように配置されており、筒胴用温度ヒューズ２０は、筒胴１の外周部の背面側（給湯装置を壁面に設置する場合は、壁面側）近傍に配置されている。
そして、前記バーナ用熱電対１７、燃焼室用熱電対２１、ノズル近傍用温度ヒューズ１９、及び、筒胴用温度ヒューズ２０は、夫々、リード線を介してコントローラＣに電気的に接続されている。
【００２１】
次に、コンロＢについて説明する。
図１及び図３に示すように、コンロＢは、２つのコンロバーナ３１ａ、３１ｂを備えたコンロ部３２と、グリルバーナ３１ｃを備えたグリル部３３とが設けられているテーブル式ガスコンロにて構成されている。
そして、２つのコンロバーナ３１ａ、３１ｂとして、コンロ本体３４の右側に位置する大バーナ３１ａと左側に位置する並バーナ３１ｂとが設けられている。
ちなみに、大バーナ３１ａ、並バーナ３１ｂ及びグリルバーナ３１ｃの夫々が、コンロＢにおけるコンロ用バーナに相当する。
【００２２】
図１に示すように、コンロ本体３４の前面パネル部には、コンロ用バーナを点火・消化するための点消火操作具Ｓと火力を調節するための火力調節レバーＲとの夫々が、右側から大バーナ用、グリルバーナ用、並バーナ用の順で横幅方向に並べた状態で３つ設けられている。
そして、詳細な説明は省略するが、点消火操作具Ｓは、消火位置から点火位置まで押し操作した後にその操作を解除すると、消火位置と点火位置との間に位置する保持位置まで復帰し、保持位置から点火位置まで押し操作した後にその操作を解除すると、消火位置まで復帰するように構成されている。
図３に示すように、ガス供給路３６は、大バーナ用分岐路３６ａ、並バーナ用分岐路３６ｂ、グリルバーナ用分岐路３６ｃに分岐して夫々のバーナに接続されており、ガス供給路３６（大バーナ用分岐路３６ａ、並バーナ用分岐路３６ｂ、グリルバーナ用分岐路３６ｃ）が、前記コンロ用バーナに対して燃料を供給する燃料供給路に相当する。
【００２３】
次に、大バーナ３１ａ、並バーナ３１ｂ及びグリルバーナ３１ｃの点消火の構成について説明を加えるが、大バーナ３１ａ、並バーナ３１ｂ及びグリルバーナ３１ｃの点消火の構成は同様に構成されているため、大バーナ３１ａの点消火の構成について説明を加え、並バーナ３１ｂ及びグリルバーナ３１ｃの点消火の構成については説明を省略する。
【００２４】
図３に示すように、大バーナ３１ａへの大バーナ用分岐路３６ａには、開閉弁３７、操作弁３８、及び、燃料ガス供給量を調整する調整弁３９が介装されている。
前記操作弁３８は、閉弁付勢型に構成されて、点消火操作具Ｓが保持位置及び点火位置まで押し込み操作されるに伴って閉弁付勢力に抗して開弁操作され、点消火操作具Ｓが消火位置に復帰した状態では閉弁不勢力にて閉弁操作されるように構成されている。
また、前記開閉弁３７は、閉弁付勢型に構成されて、点消火操作具Ｓが点火位置まで押し込み操作されるに伴って、開弁側に移動する操作弁３８の操作杆３８ａにて閉弁付勢力に抗して開弁され、点消火操作具Ｓが消火位置及び保持位置に復帰した状態では閉弁付勢力にて閉弁されるように構成されている。
【００２５】
コンロＢには、大バーナ３１ａの燃焼炎の温度が高いほど大きな起電力を出力するコンロ用熱電対４０が設けられており、このコンロ用熱電対４０は、その感熱部が大バーナ３１ａの正常燃焼状態の燃焼炎の内部に位置するように設けられている。
そして、図４に示すように、コンロ用熱電対４０により発生する起電力により通電されることによって磁界を発生する着火報知用コイル４１と開閉弁３７の作動用コイル３７ａとが、互いに並列接続される状態でコンロ用熱電対４０に接続してあり、着火報知用コイル４１に通電されることによりリードスイッチ４２がオン操作され、また、作動用コイル３７ａに通電されることにより開弁状態の開閉弁３７が開弁状態に維持される。
【００２６】
開閉弁３７について説明を加えると、大バーナ用分岐路３６ａに備えられた開閉弁３７には、閉弁付勢力に抗して開弁状態を維持するための作動用コイル３７ａが備えられており、開閉弁３７は、点消火操作具Ｓを点火位置まで押し込み操作されて開弁された開弁状態において、作動用コイル３７ａにコンロ用熱電対４０により発生する起電力が通電することにより、その起電力が通電している間は、点消火操作具Ｓが消火位置及び保持位置に復帰したとしても、閉弁付勢力に抗して開弁状態に維持することができるように構成されている。
【００２７】
大バーナ３１ａの近くに備えられたコンロ用点火プラグ４３をスパークさせるための点火回路４４が設けられ、この点火回路４４は、点火スイッチ４５のオン操作に伴って電源としての乾電池４６から電力が供給されることにより、点火動作を開始してコンロ用点火プラグ４３をスパークさせるように構成されている。
また、グリル本体５の前面パネル部に、大バーナ３１ａの着火状態を光にて報知する発光ダイオード４７を備えてあり、リードスイッチ４２のオン操作に伴って乾電池４６から電力が供給されることにより発光するように構成されている。
【００２８】
よって、点消火操作具Ｓを点火位置まで押し操作されると、開閉弁３７並びに操作弁３８が開弁されるとともに点火スイッチ４５がオン操作される。点火スイッチ４５がオン操作されると、乾電池４６から点火回路４４に電力が供給されて、コンロ用点火プラグ４３をスパークさせる。
つまり、点消火操作具Ｓを点火位置まで押し操作するに伴って、燃料ガスを、開閉弁３７、操作弁３８、調整弁３９を通過させて大バーナ３１ａに供給し、点火スイッチ４５のスパークにより点火させて、大バーナ３１ａを燃焼させるように構成されている。
このように大バーナ３１ａが燃焼している状態では、コンロ用熱電対４０により発生する起電力が作動用コイル３７ａに通電することにより、開閉弁３７が閉弁不勢力に抗して開弁状態に維持されているため、点消火操作具Ｓがこれに対する押し操作が解除されて保持位置に復帰したとしても、燃料ガスが大バーナ３１ａに供給され続けて大バーナ３１ａが燃焼状態で維持される。
ちなみに、保持位置に位置する点消火操作具Ｓを点火位置まで押し操作した後、その操作を解除させて消火位置に復帰されると、操作弁３８が閉弁されて、燃料ガスの大バーナ３１ａへの供給が断たれるため、大バーナ３１ａの燃焼が停止する。
【００２９】
次に、図４及び図５に基づいて、給湯装置Ａに異常が生じたときや、コンロＢの大バーナ３１ａが燃焼状態になったときに、熱交換器用バーナ３の燃焼を停止させる構成について説明を加える。
【００３０】
図２に示すように、バーナ用熱電対１７のマイナス端子と燃焼室用熱電対２１のマイナス端子とが接続され、燃焼室用熱電対２１のプラス端子とコンロ用熱電対４０のマイナス端子とが接続ケーブルＬ内のリード線を介して接続され、上述したようにバーナ用熱電対１７のプラス端子が、熱電対取付板に接続して電気的に接地されると共にコントローラＣの入力端子ａに接続されており、コンロ用熱電対４０のプラス端子が接続ケーブルＬ内のリード線を介してコントローラＣの入力端子ｂに接続されている。又、バーナ用熱電対１７と燃焼室用熱電対２１との間の中間接続箇所がコントローラＣの入力端子ｃに接続されている。
つまり、給湯装置Ａに設けられたバーナ用熱電対１７と燃焼室用熱電対２１とが、バーナ用熱電対１７を燃焼室用熱電対２１に対して逆極性となる状態で直列接続されており、コンロＢに設けられたコンロ用熱電対４０が、コントローラＣに電気的に接続されているバーナ用熱電対１７に対して逆極性となる状態で、且つ、コントローラＣに接続されている燃焼室用熱電対２１に対して同極性となる状態で直列接続されている。
【００３１】
そして、バーナ用熱電対１７の出力値と燃焼室用熱電対２１の出力値とコンロ用熱電対４０の出力値との合計となる多数熱電対の合計値Ｖｔが、コントローラＣの各入力端子ａ，ｂ間に入力されるように構成され、バーナ用熱電対１７の出力値Ｖ１が、コントローラＣの入力端子ａ，ｃ間に入力されるように構成されている。
また、多数熱電対の合計値Ｖｔとバーナ用熱電対１７の出力値Ｖ１とに基づいて、燃焼室用熱電対２１の出力値とコンロ用熱電対４０の出力値との合計値、つまり、燃焼室用熱電対２１及びコンロ用熱電対４０を備えた熱電対群の出力値Ｖ２を演算にて求めるように構成されている。
【００３２】
そして、コントローラｃが、バーナ用熱電対１７の出力値Ｖ１がバーナ用設定値Ｖｓ１以下になる、又は、燃焼室用熱電対２１の出力値とコンロ用熱電対４０の出力値との合計値である熱電対群の出力値Ｖ２が熱電対群用設定値Ｖｓ２以上になると、給湯装置Ａの異常である又はコンロ用バーナが燃焼状態であるとして、熱交換器用バーナ３の燃焼を停止させるように構成してある。
【００３３】
即ち、給湯装置Ａの熱交換器用バーナ３が不完全燃焼を起こして燃焼炎が長くなることや、燃焼炎が不測に立ち消えることによって、バーナ用熱電対１７からの起電力の出力が小さくなり、それに伴って図３（イ）に示すように、バーナ用熱電対１７の出力値Ｖ１がバーナ用設定値Ｖｓ１以下になると、コントローラＣは、異常であるとして、遮断弁９のコイル９ａへの通電を停止して遮断弁９を閉弁し、熱交換器用バーナ３の燃焼が停止されることになる。
【００３４】
又、排気閉塞によって燃焼室Ｒ内の周囲温度が高くなることによって、燃焼室用熱電対２１からの起電力の出力が大きくなる、又は、大バーナ３１ａが燃焼状態となることによって、コンロ用熱電対４０からの起電力の出力が大きくなることにより、それに伴って図３（ロ）に示すように、燃焼室用熱電対２１の出力値とコンロ用熱電対４０の出力値との合計値つまり熱電対群の出力値Ｖ２が熱電対群用設定値Ｖｓ２以上になると、給湯装置Ａの燃焼室Ｒの異常である又はコンロ用バーナ３１ａが燃焼状態であるとして、遮断弁９のコイル９ａへの通電を停止して遮断弁９を閉弁し、熱交換器用バーナ３の燃焼が停止されることになる。
【００３５】
上記の説明では、大バーナ３１ａを代表として説明したが、図３に示すように、コンロＢには、大バーナ３１ａと同様に、並バーナ３１ｂ及びグリルバーナ３１ｃに対してもコンロ用熱電対４０が設けられることになり、そして、図４に示すように、接続ケーブルＬにて給湯装置ＡとコンロＢとを接続することにより、複数のコンロ用熱電対４０の夫々が、燃焼室用熱電対２１に対して同極性となる状態で直列接続され、且つ、バーナ用熱電対１７に対して逆極性となる状態で直列接続されている。
したがって、大バーナ３１ａ、並バーナ３１ｂ、グリルバーナ３１ｃのいずれかが燃焼状態となり、複数のコンロ用熱電対４０のいずれかの起電力の出力が大きくなることにより、燃焼室用熱電対２１の出力値と複数のコンロ用熱電対４０の出力値との合計値、つまり、熱電対群の出力値Ｖ２が設定値Ｖｓ２以上になると、コントローラＣは、給湯装置Ａの異常である又はコンロ用バーナが燃焼状態であるとして、遮断弁９のコイル９ａへの通電を停止して遮断弁９を閉弁し、熱交換器用バーナ３の燃焼を停止させるように構成されている。
ちなみに、給湯装置ＡとコンロＢとを接続する接続ケーブルＬを外した状態では、給湯装置Ａは、燃焼室用熱電対２１のプラス端子が直接にコントローラＣの入力端子ｂに接続されて、燃焼室用熱電対２１の出力値が設定値Ｖｓ２以上になると、コントローラＣは、異常であると判別して、遮断弁９のコイル９ａへの通電を停止して遮断弁９を閉弁し、熱交換器用バーナ３の燃焼を停止させるように構成されている。
【００３６】
尚、燃焼室Ｒ内の周囲温度が異常に上昇して、筒胴１の外周近傍の温度が異常高温になると、筒胴用温度ヒューズ２０が溶断する。又、ガスノズル１８近傍の温度が異常高温になると、ノズル近傍用温度ヒューズ１９が溶断する。そして、このように筒胴用温度ヒューズ２０が溶断した場合や、ノズル近傍用温度ヒューズ１９が溶断した場合には、コントローラＣは、異常であると判別して、同様に熱交換器用バーナ３の燃焼を停止させるように構成されている。
【００３７】
〔別実施の形態〕
（１）  上記実施の形態では、バーナ用熱電対１７を燃焼室用熱電対２１及びコンロ用熱電対４０に対して逆極性となる状態で直列接続したが、バーナ用熱電対１７を燃焼室用熱電対２１及びコンロ用熱電対４０に接続しなくてもよい。
つまり、バーナ用熱電対１７のマイナス端子と燃焼室用熱電対２１のマイナス端子とを、互いには接続せずにコントローラＣの異なる入力端子に接続してもよい。
【００３８】
（２）  上記実施の形態では、開閉弁３７の作動用コイル３７ａに通電させるためのコンロ用熱電対４０を燃焼室用熱電対２１に対して同極性となる状態で直列接続し、開閉弁３７の作動用コイル３７ａに通電させるための熱電対と熱交換器用バーナ３の燃焼異常を未然に防止するためにコンロＢに設ける熱電対とを兼用したが、開閉弁３７の作動用コイル３７ａに通電させるための熱電対と熱交換器用バーナ３の燃焼異常を未然に防止するためにコンロＢに設ける熱電対とを各別に設けてもよい。
【００３９】
（３）  上記実施の形態では、複数のコンロ用熱電対４０の夫々を、燃焼室用熱電対２１に対して同極性となる状態で直列接続するに、複数のコンロ用熱電対４０を燃焼室用熱電対２１に対して並列状態で接続する場合を例示したが、複数のコンロ用熱電対４０を同極性となる状態で直列接続し、その直列接続した複数のコンロ用熱電対４０を燃焼室用熱電対２１に対して同極性となる状態で直列接続しても良い。
【００４０】
（４）上記実施の形態では、各別に点火及び消火される複数のコンロ用バーナを備えるコンロＢを例示したが、単一のコンロ用バーナを備えるコンロＢに適用できることは勿論である。
【図面の簡単な説明】
【００４１】
【図１】燃焼設備を示す図
【図２】給湯装置のブロック図
【図３】コンロのブロック図
【図４】燃焼装置の制御ブロック図
【図５】起電力の出力値を示す図
【符号の説明】
【００４２】
２    給湯用熱交換器
３    熱交換器用バーナ
１７    バーナ用熱電対
２１    燃焼室用熱電対
３１ａ  コンロ用バーナ
３１ｂ  コンロ用バーナ
３１ｃ  コンロ用バーナ
３６    燃料供給路
３７    開閉弁
３７ａ  作動用コイル
４０    コンロ用熱電対
Ａ    給湯装置
Ｂ    コンロ
Ｃ    制御手段
Ｒ    燃焼室
【図１】
0005096983.tif 000002
【図２】
0005096983.tif 000003
【図３】
0005096983.tif 000004
【図４】
0005096983.tif 000005
【図５】
0005096983.tif 000006